(57)【要約】      （修正有）【課題】上下２段の陳列バーの下バーの先端部分を覆うプロテクタ及びそれを備えたプライスホルダを提供する。【解決手段】プライスホルダ１０に脱着可能に装着され、陳列バー１０２の下バー１０６を覆うプロテクタ５０である。プロテクタ５０の上端がプライスホルダ１０の下端部に揺動可能に取り付けられ、プロテクタ５０は陳列バーの下バー１０６の先端を覆う形状を有している。プロテクタ５０は、その上端の両側に、互いに対抗する一対の突起６０を有し、該一対の突起６０がプライスホルダ１０の下端部に係止されることにより、プロテクタ５０がプライスホルダ１０に対して揺動可能である。【選択図】図３
0003218289.tif 000002
【実用新案登録請求の範囲】
【請求項１】
上下２段の陳列バーの上バーの先端部に固定され且つ価格などを記した表示片を収容するプライスホルダに脱着可能に装着され、前記陳列バーの下バーを覆うプロテクタであって、
該プロテクタの上端が前記プライスホルダの下端部に揺動可能に取り付けられ、
該プロテクタは前記陳列バーの下バーの先端を覆う形状を有し、
該プロテクタは樹脂成型品であることを特徴とするプロテクタ。
【請求項２】
前記プロテクタは、その上端の両側に、互いに対抗する一対の突起を有し、
該一対の突起が前記プライスホルダの下端部に係止されることにより、前記プロテクタが前記プライスホルダに対して揺動可能である、請求項１に記載のプロテクタ。
【請求項３】
前記プロテクタが、前記プライスホルダから横方向に延びる水平部分と、該水平部分の遠位端から下方に向けて延びる垂直部分とを有する、請求項２に記載のプロテクタ。
【請求項４】
前記プライスホルダが前記表示片を収容する表示部を有し、
該表示部は、背板と、該背板の前方に位置する前面カバーと、前記背板の下端と前記前面カバーの下端とを連結する連接部とを有し、
前記プライスホルダを成形した後の熱収縮によって前記前面カバーの上端が前記背板と当接した状態又は近接した状態が形成されており、
前記プロテクタの前記一対の突起が前記プライスホルダの下端部に係止されることにより、前記プロテクタが前記プライスホルダに対して揺動可能である、請求項２又は３に記載のプロテクタ。
【請求項５】
前記表示部が、その両側縁にストッパーを更に有し、
該ストッパーは前記背板の両側縁から前方に向けて突出している、請求項４に記載のプロテクタ。
【請求項６】
上下２段の陳列バーの上バーの先端部に固定され且つ価格などを記した表示片を収容するプライスホルダと、
該プライスホルダの下端から下方に延びて前記陳列バーの下バーの先端を覆うプロテクタとを有し、
該プロテクタは、その上端が前記プライスホルダの下端部に揺動可能であり、
該プロテクタは前記陳列バーの下バーの先端を覆う形状を有し、
前記プライスホルダと前記プロテクタが樹脂成型品であることを特徴とするプロテクタを備えたプライスホルダ。
【考案の詳細な説明】
【技術分野】
【０００１】
本考案は、一般的に、商品陳列に用いられるプライスホルダに関し、より詳しくは、プロテクタを備えたプライスホルダ及びプロテクタに関する。
【背景技術】
【０００２】
デパート、スーパーマーケット、ホームセンター、コンビニエンスストアなどの店舗では陳列した商品に隣接して価格、商品の種類、品種、バーコードなどを表示するツールが設置されている。業界では、このツールは「プライスホルダ」「価格表示板」などと呼ばれているが、この明細書では「プライスホルダ」と呼ぶ。
【０００３】
上下２段のうちの下バーに商品を係止する陳列バーが知られている。上下２段の陳列バーのうち商品を係止するための下バーは、その先端部が斜め上方に向けて屈曲した形状を有している。上バーは、その先端が上方に向けて屈曲した形状を有し、この上バーは、下バーに比べて短尺である。消費者は、前方に向けて突出する下バーの先端部から商品を取り外して商品を手にすることができる。
【０００４】
特許文献１及び２は、上バーの先端部に装着するプライスホルダを開示している。特許文献２に開示のプライスホルダは、上バーの先端部に取り付け可能な固定部と、価格などを付した紙を保持する表示部とを有している。固定部と表示部とは別体構造である。固定部は、上方バーの屈曲先端を含む先端部を受け入れる長孔を有し、この長孔を上方バーの先端部に挿入することで位置決めされる。固定部はその背面にブラケットを有し、このブラケットに表示部が取り付けられる。固定部に対して取付部は上下に変位可能であり、表示部の向きを上に向けた状態で固定できるし下に向けた状態でも固定できる。
【０００５】
この特許文献２の提案によれば、陳列バーが消費者の目線よりも高所に位置しているときには、プライスホルダの表示部を下向きにすることで消費者が見易くなる。陳列バーが逆に消費者の目線よりも低い位置にあるときには、表示部を上向きにすることで消費者が見易くなる。
【０００６】
特許文献１は下バーの先端部を覆う安全対策としての合成樹脂製のプロテクタを開示している。プロテクタは上バーに沿って延びる細長い形状を有する。プロテクタは、その一端部つまり基端部にブロックを有し、このブロックの溝を上バーに嵌着することで、プロテクタを上バーに脱着可能に取り付けることができる。
【０００７】
プロテクタは、その先端部が下方に延びるリップ状の形状を有し、このリップが下バーの先端部を覆うことで下バーに対する安全を確保することができる。消費者が商品を下バーから取り出すときにリップが上方に弾性変形する。これにより消費者はリップを操作することなく商品を下バーから取り外すことができる。
【先行技術文献】
【特許文献】
【０００８】
【特許文献１】特開２００１―１６９８７６号公報
【特許文献２】特開平０７―３３４０９３号公報
【考案の概要】
【考案が解決しようとする課題】
【０００９】
本考案の目的は上下２段の陳列バーの上バーに装着可能なプライスホルダに関連して設置可能な且つ下バーの先端部分を覆うプロテクタを提供することにある。
【００１０】
本考案の更なる目的は、上下２段の陳列バーの下バーを覆うプロテクタ付きプライスホルダ及びプロテクタを提供することにある。
【課題を解決するための手段】
【００１１】
上記の技術的課題は、本考案の一つの観点よれば、
上下２段の陳列バー(102)の上バー(108)の先端部に固定され且つ価格などを記した表示片を収容するプライスホルダ(10)に脱着可能に装着され、前記陳列バー(102)の下バー(106)を覆うプロテクタ(50)であって、
該プロテクタ(50)の上端が前記プライスホルダ(10)の下端部に揺動可能に取り付けられ、
該プロテクタ(50)は前記陳列バーの下バー(106)の先端を覆う形状を有し、
該プロテクタ(50)は樹脂成型品であることを特徴とするプロテクタ(50)を提供することにより達成される。
【００１２】
上記の技術的課題は、本考案の他の観点よれば、
上下２段の陳列バー(102)の上バー(108)の先端部に固定され且つ価格などを記した表示片を収容するプライスホルダ(10)と、
該プライスホルダ(10)の下端から下方に延びて前記陳列バー(102)の下バー(106)の先端を覆うプロテクタ(50)とを有し、
該プロテクタ(50)は、その上端が前記プライスホルダ(10)の下端部に揺動可能であり、
該プロテクタ(50)は前記陳列バーの下バーの先端を覆う形状を有し、
前記プライスホルダ(10)と前記プロテクタ(50)が樹脂成型品であることを特徴とするプロテクタ(50)を備えたプライスホルダ(10)を提供することにより達成される。
【００１３】
本考案の他の目的及び作用効果は、次の説明する本考案の好ましい実施例の詳しい説明から明らかになる。
【図面の簡単な説明】
【００１４】
【図１】従来から知られている陳列バーの上バーに実施例のプライスホルダ及びプロテクタを装着した状態を説明するための図であり、該プロテクタによって陳列バーの下バーの先端が覆われることを説明するための図である。
【図２】実施例のプロテクタの斜視図である。
【図３】図１に図示のプライスホルダ及びその下端に揺動可能に装着されたプロテクタの側面図である。
【図４】実施例のプライスホルダを斜め前方から見た図であり、(a)は射出成形後の熱収縮が終わった後の完成品を示し、(b)は射出成形直後の状態を示す。
【図５】図４の(a)のＶ−Ｖ線に沿って切断したプライスホルダの断面図である。
【図６】プロテクタの変形例を説明するための図であり、図３に対応した側面図である。
【考案を実施するための形態】
【実施例】
【００１５】
以下に、添付の図面に基づいて本考案の好ましい実施例を説明する。図１は陳列バーを使って商品を陳列している状態を示す。消費者の動線に沿って設置された水平フレーム１００に複数の陳列バー１０２が取り付けられている。図示の陳列バー１０２は従来から周知である。複数の陳列バー１０２は動線に沿って横並びに配列される。各陳列バー１０２は、商品１０４を掛ける下バー１０６と、その上方且つ平行に位置する上バー１０８とで構成されている。上下のバー１０６、１０８は前方に且つ水平方向に延びている。
【００１６】
下バー１０６は、上バー１０８よりも長尺であり、上バー１０８よりも前方に突出している。図１から分かるように、商品１０４を係止する下バー１０６は、その先端部が屈曲して斜め上方に延びている。上バー１０８は上方に屈曲した屈曲先端１０８aを有しており、上バー１０８の先端部１０８aに、実施例のプライスホルダ１０が装着されている（図３）。
【００１７】
図１、図３を参照して、プライスホルダ１０にはプロテクタ５０が取り付けられている。プロテクタ５０はプライスホルダ１０の下端部に揺動可能に係止されている。そして、プライスホルダ１０から垂下するプロテクタ５０は下バー１０６の先端部を覆っている。
【００１８】
下バー１０６から商品１０４を抜き出すとき、この商品１０４の移動に伴ってプロテクタ５０が上方に持ち上げられる。消費者は従前と同様に商品１０４を取り出すことができる。商品１０４を下バー１０６から取り出すときに、消費者はプロテクタ５０を操作する必要はない。
【００１９】
先ず、プライスホルダ１０の具体的な構成について説明する。図３は、プロテクタ５０を装着した状態のプライスホルダ１０の側面図である。図４はプライスホルダ１０の斜視図である。図５は、プライスホルダ１０を図４(a)のＶ-Ｖ線に沿って切断した断面図である。
【００２０】
図３を参照して、実施例のプライスホルダ１０は、表示部１２と固定部１４とが一体的に成形された一体成型品であるが、変形例として、特許文献２に開示のプライスホルダと同様に、表示部１２と固定部１４とを別体構造にしてもよい。表示部１２と固定部１４とを別体構造にした場合、特許文献２に開示のプライスホルダと同様に、表示部１２に形成したブラケットに固定部１４を締結する構造を採用すると共に、固定部１４を表示部１２に対して上下に角度変化できるようにしてもよい。これによれば、表示部１２の向きを上下に調整できる。
【００２１】
引き続き図３を参照して、固定部１４は、下方に開放した溝１６を有し、溝１６の中に上バー１０８の上方に向けて屈曲した先端部１０８aを受け入れることができる。そして、上バー１０８の先端部１０８aが溝１６に受け入れられることにより、固定部１４は上バー１０８に位置決めされた状態になる。
【００２２】
図４は、実施例のプライスホルダ１０を斜め前方から見た図である。図４を参照して、表示部１２は、背板３０と前面カバー３２とを有している。表示部１２は、好ましくは、背板３０の両側に位置して前方に向けて突出するストッパー３４を有しているのが良いが、ストッパー３４を省いてもよい。ストッパー３４の下端は、表示部１２の下端から上方に離れた位置に位置している。
【００２３】
表示部１２は正面視矩形の形状を有し、背板３０と前面カバー３２との間に、価格などを記した紙片などの表示片（図示せず）が収容される。
【００２４】
前面カバー３２は背板３０の下端縁に連続している。図５は、図４(a)のＶ−Ｖ線に沿った断面図である。図５を参照して、背板３０は、Ｕ字状に湾曲した連接部３６を介して前面カバー３２に連続している。
【００２５】
プライスホルダ１０は、例えばPS（ポリスチレン）、ABS、PC（ポリカーボネート）、PET等の合成樹脂材料から射出成形される。図４の(a)は成型品が冷めて熱収縮した後の状態（完成品）を示し、図４の(b)は射出成形直後の状態を示す。図４の(b)に図示の射出成形直後のプライスホルダ１０には参照符号Ｂを付記してある。図４の(b)を参照して、成形直後のプライスホルダ１０(Ｂ)は、前面カバー３２の上端が背板３０から離間しているのが良く分かるであろう。成形型は、この図４の(b)に図示の成形直後のプライスホルダ１０(Ｂ)に対応するキャビティ（成形部）を有していると理解されたい。射出成形直後のプライスホルダ１０(Ｂ)は、これが冷えるのに伴う熱収縮によって図４の(a)に図示の完成品のプライスホルダ１０の形状になる。
【００２６】
図４の(a)を参照して、完成品のプライスホルダ１０は、前面カバー３２の上端と背板３０との間が閉じた状態にある。「閉じた」とは、典型的には、前面カバー３２の上端が背板３０に当接又は圧接している状態を意味するが、価格などを記した表示片が抜け出さない程度に前面カバー３２の上端が背板３０から僅かに離間していてもよい。
【００２７】
プライスホルダ１０に、価格等を書いた紙片（図示せず）を挿入するときには、前面カバー３２の上端を背板３０から離す方向に力を加えて、前面カバー３２と背板３０との間に隙間を作ればよい。
【００２８】
前面カバー３２の上端を背板３０から離す方向に力を加えたときに、連接部３６の撓み変形によって前記隙間が出来るようにしてもよいし、前面カバー３２の撓み変形によって前記隙間ができるようにしてもよいし、連接部３６及び前面カバー３２の撓み変形によって前記隙間ができるようにしてもよい。
【００２９】
この隙間を通じて価格等を書いた紙片などの表示片を前面カバー３２と背板３０との間の空間に挿入することができる。前面カバー３２の上端に加えた力を解放することにより、前面カバー３２は、Ｕ字状の連接部３６及び／又は前面カバー３２の復元力により、その上端が背板３０と当接した状態に戻る。
【００３０】
図２、図３を参照して、プロテクタ５０を説明する。プロテクタ５０は、側面視したときに逆Ｌ字状の形状を有する樹脂成型品である。側面視したときのプロテクタ５０の形状は、このプロテクタ５０によって下バー１０６の先端を上方から覆うことができる形状であれば任意である。例えば、プロテクタ５０は、プライスホルダ１０の下端部から下バー１０６の先端に向けて斜めに延びる形状であってもよい。
【００３１】
プロテクタ５０を陳列バー１０２に設置した状態を基準に上下、前後という言葉に関連した用語を使ってプロテクタ５０の構成を説明する。プロテクタ５０は、横方向に延びる水平部分５２と、水平部分５２の遠位端から下方に延びる垂直部分５４とを有する。すなわち、プロテクタ５０は断面逆Ｌ字状の基本形状を有する。プロテクタ５０は、また、水平部分５２の基端から上方に延びるフランジ５６を有し、このフランジ５６の左右の各端に、夫々、後方に延びる一対の延長部分５８を有する。一対の延長部分５８は、互いに対抗する面に夫々突起６０を有している。一対の突起６０は互いに対抗して位置している。
【００３２】
水平部分５２は、図２から理解できるように正面視矩形の形状を有しているが、この形状は任意である。また、垂直部分５４は、上から見たときに前方端がラウンドした略半楕円状の形状を有しているが、この形状も任意である。プロテクタ５０は射出成型品であり、有色であってもよいし、透明であってもよい。
【００３３】
上述した一対の突起６０の基端の間隔は、プライスホルダ１０の下端部の幅と実質的に同じである。プライスホルダ１０の断面Ｕ字状の連接部３６の中に突起６０が入り込むことで、プロテクタ５０はプライスホルダ１０に装着される。プロテクタ５０は、一対の突起６０がプライスホルダ１０の下端部に係止されることで、一対の突起６０で規定される軸線を中心として自由に揺動可能である。
【００３４】
図３は、２段陳列バー１０２に装着したプライスホルダ１０にプロテクタ５０を取り付けた状態を示している。プロテクタ５０は、上バー１０８に取り付ける前のプライスホルダ１０に装着してもよいし、上バー１０８に取り付けた後のプライスホルダ１０に装着してもよい。
【００３５】
図３を引き続き参照して、プライスホルダ１０から垂下するプロテクタ５０は下バー１０６の先端と係合して定置姿勢を保つ。消費者が商品１０４（図１）を下バー１０６から抜き出すとき、この商品１０４と係合した状態で下バー１０６から離れる方向に揺動する。この状態を図３において仮想線で示してある。消費者が商品１０４を下バー１０６から取り出した後は、図３において実線で示す定置姿勢に戻る。
【００３６】
下バー１０６を常時覆うプロテクタ５０は、消費者に向けて広がる比較的大きな水平部分５２及び垂直部分５４を有している。この水平部分５２、垂直部分５４の少なくともいずれか一方の面を利用して、例えばキャッチフレーズを書いたメモ（図示せず）を貼着することができる。
【００３７】
変形例として、図６に図示のように、ストッパー３４をプライスホルダ１０の下端部まで延長し、このストッパー３４に凹所（作図上の理由で図面に現れていない）を設け、この凹所に対して上記プロテクタ５０の突起６０を凹凸嵌合する構成を採用してもよい。この例では、プロテクタ５０に突起６０を設けた例を説明したが、突起６０とこれを受け入れる凹所は相対的な関係であり、ストッパー３４に突起６０を設け、プロテクタ５０に凹所を設けてもよい。
【符号の説明】
【００３８】
１０  実施例のプライスホルダ
１０(Ｂ)  射出成形直後のプライスホルダ
１２  プライスホルダの表示部
１４  プライスホルダの固定部
３０  プライスホルダの背板
３２  プライスホルダの前面カバー
３４  プライスホルダの左右のストッパー
３６  プライスホルダの連接部
５０  プロテクタ
５２  プロテクタの水平部分
５４  プロテクタの垂直部分
６０  プロテクタの基端の互いに対抗して位置する突起
１０２  陳列バー
１０４  商品
１０６  陳列バーの下バー
１０８  陳列バーの上バー
【図１】
0003218289.tif 000003
【図２】
0003218289.tif 000004
【図３】
0003218289.tif 000005
【図４】
0003218289.tif 000006
【図５】
0003218289.tif 000007
【図６】
0003218289.tif 000008